Podtech/llm-jp-corpus-v4-ja_patent huggingface dataset:
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
燃料噴射装置（９０，９０Ｂ，９０Ｃ，９０Ｄ）であって、
燃料を噴射する噴孔（３２）を有し、前記噴孔に連通する第１流路（１０１）が形成された筒状のハウジング（３０）と、
前記ハウジング内に固定され、前記第１流路に連通する第２流路（１０２）が形成された筒状の固定コア（４１）と、
前記固定コアよりも前記噴孔側における前記第１流路内を前記ハウジングの軸方向（ＡＸ）に沿って往復移動可能に設けられ、前記固定コアの内径よりも大きな外径を有し、第１貫通孔（４２１）を有する第１可動コア（４２）と、
前記固定コアと前記第１可動コアとの間における前記第１流路内を前記ハウジングの軸方向に沿って往復移動可能に設けられ、前記第１可動コアの外径よりも小さな外径を有し、第２貫通孔（４３１）を有する第２可動コア（４３）と、
通電によって、前記第１可動コアと前記第２可動コアとを前記固定コア側に向かって移動させる磁界を発生するコイル（４４）と、
前記第１貫通孔および前記第２貫通孔を前記軸方向に通る軸部（５１）と、前記軸部の前記噴孔側の端部に形成され、前記噴孔を開閉可能な弁部（５２）と、を有するニードル（５０，５０Ｂ）と、
前記ニードルを前記噴孔側に向かって付勢するスプリング（６１）と、
前記コイルへの前記通電を制御する制御部（８０）と、
を備え、
前記第１可動コアは、前記第２可動コアに対して前記軸方向における前記噴孔側から前記固定コア側に向かう力を伝達可能に構成され、
前記第２可動コアは、前記ニードルに対して前記軸方向における前記噴孔側から前記固定コア側に向かう力を伝達可能に構成され、
前記第１可動コアと前記固定コアとの少なくとも一方は、前記第１可動コアが前記固定コアに前記軸方向において接触した状態で、前記第２可動コアが前記ニードルとともに前記軸方向に沿って移動可能な空間（４２２，４２３）を有し、
前記制御部は、前記コイルへの前記通電を停止する際に、前記コイルに対して、前記第１可動コアと前記第２可動コアとを前記噴孔側から前記固定コア側に向かって移動させるために供給する電流とは逆向きの電流を供給した後、前記コイルへの前記通電を停止する、
燃料噴射装置。
【請求項２】
請求項１に記載の燃料噴射装置であって、
前記ニードルと前記第２可動コアとが固定された固定部（５３，５４）を有し、
前記第２可動コアは、前記固定部を介して、前記ニードルに対して前記軸方向における前記噴孔側から前記固定コア側に向かう力を伝達する、燃料噴射装置。
【請求項３】
請求項１に記載の燃料噴射装置であって、
前記軸部は、前記第２可動コアよりも前記固定コア側に、径方向に前記第２貫通孔の径よりも大きく突き出した突出部（５４）を有し、
前記第２可動コアは、前記突出部に前記軸方向において接触することによって、前記ニードルに対して前記軸方向における前記噴孔側から前記固定コア側に向かう力を伝達する、燃料噴射装置。
【請求項４】
請求項１から請求項３のいずれか一項に記載の燃料噴射装置であって、
前記第１可動コアが前記通電によって前記固定コア側に向かって移動する第１距離よりも、前記第１可動コアが前記固定コアに前記軸方向において接触した状態から、前記第２可動コアが前記通電によって前記固定コア側に向かって移動する第２距離の方が長い、燃料噴射装置。
【請求項５】
請求項１から請求項４のいずれか一項に記載の燃料噴射装置であって、
前記燃料としてガスを噴射する、燃料噴射装置。
【請求項６】
請求項１から請求項５のいずれか一項に記載の燃料噴射装置であって、
前記制御部は、前記コイルに対して、前記第１可動コアと前記第２可動コアとを前記噴孔側から前記固定コア側に向かって移動させる第１電流を供給した後、前記第１電流よりも小さな第２電流を供給する、
燃料噴射装置。
【手続補正２】
【補正対象書類名】明細書
【補正対象項目名】０００６
【補正方法】変更
【補正の内容】
【０００６】
本開示の一形態によれば、燃料噴射装置（９０，９０Ｂ，９０Ｃ，９０Ｄ）が提供される。この燃料噴射装置は、燃料を噴射する噴孔（３２）を有し、前記噴孔に連通する第１流路（１０１）が形成された筒状のハウジング（３０）と；前記ハウジング内に固定され、前記第１流路に連通する第２流路（１０２）が形成された筒状の固定コア（４１）と；前記固定コアよりも前記噴孔側における前記第１流路内を前記ハウジングの軸方向（ＡＸ）に沿って往復移動可能に設けられ、前記固定コアの内径よりも大きな外径を有し、第１貫通孔（４２１）を有する第１可動コア（４２）と；前記固定コアと前記第１可動コアとの間における前記第１流路内を前記ハウジングの軸方向に沿って往復移動可能に設けられ、前記第１可動コアの外径よりも小さな外径を有し、第２貫通孔（４３１）を有する第２可動コア（４３）と；通電によって、前記第１可動コアと前記第２可動コアとを前記固定コア側に向かって移動させる磁界を発生するコイル（４４）と；前記第１貫通孔および前記第２貫通孔を前記軸方向に通る軸部（５１）と、前記軸部の前記噴孔側の端部に形成され、前記噴孔を開閉可能な弁部（５２）と、を有するニードル（５０，５０Ｂ）と；前記ニードルを前記噴孔側に向かって付勢するスプリング（６１）と；前記コイルへの前記通電を制御する制御部（８０）と；を備える。前記第１可動コアは、前記第２可動コアに対して前記軸方向における前記噴孔側から前記固定コア側に向かう力を伝達可能に構成され；前記第２可動コアは、前記ニードルに対して前記軸方向における前記噴孔側から前記固定コア側に向かう力を伝達可能に構成され；前記第１可動コアと前記固定コアとの少なくとも一方は、前記第１可動コアが前記固定コアに前記軸方向において接触した状態で、前記第２可動コアが前記ニードルとともに前記軸方向に沿って移動可能な空間（４２２，４２３）を有し、前記制御部は、前記コイルへの前記通電を停止する際に、前記コイルに対して、前記第１可動コアと前記第２可動コアとを前記噴孔側から前記固定コア側に向かって移動させるために供給する電流とは逆向きの電流を供給した後、前記コイルへの前記通電を停止する。
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
燃料ポンプのラックを動作させてプランジャを回転させる制御を行うエンジン制御方法において、
前記ラックを動作させて当該ラックの動作の異常の有無を判定し、前記ラックの動作に異常があると判定した場合に、スタータモータに通電することで、エンジンを始動させずにクランク軸とともに前記プランジャを往復動させる制御部を備えることを特徴とするエンジン制御方法。
【請求項２】
請求項１に記載のエンジン制御方法であって、
前記制御部が、前記スタータモータに電圧を印加するバッテリーの電圧値を取得し、
前記電圧値が低いほど、前記スタータモータに通電する際の通電時間を長くすることを特徴とするエンジン制御方法。
【請求項３】
請求項１又は２に記載のエンジン制御方法であって、
前記制御部が、前記エンジンの累計運転時間を取得し、
前記累計運転時間が長いほど、前記スタータモータに通電する際の通電時間を長くすることを特徴とするエンジン制御方法。
【請求項４】
ラック及びプランジャを備え、当該ラックが動作することでプランジャが回転する構成の燃料ポンプと、
電圧が印加されることでクランク軸を回転させるとともにプランジャを往復動させるスタータモータと、
前記ラックの動作に異常があると判定した場合に、前記スタータモータに通電することで、エンジンを始動させずに前記クランク軸とともに前記プランジャを往復動させる制御部と、
を備えることを特徴とするエンジン。
【手続補正２】
【補正対象書類名】明細書
【補正対象項目名】発明の名称
【補正方法】変更
【補正の内容】
【発明の名称】エンジン制御方法及びエンジン
【手続補正３】
【補正対象書類名】明細書
【補正対象項目名】０００１
【補正方法】変更
【補正の内容】
【０００１】
本発明は、主として、燃料ポンプが備えるラックの動作の異常を判定して解消する制御を行うエンジン制御方法に関する。
【手続補正４】
【補正対象書類名】明細書
【補正対象項目名】０００８
【補正方法】変更
【補正の内容】
【０００８】
本発明は以上の事情に鑑みてされたものであり、その主要な目的は、単純な構成でプランジャの外周に生じた燃料膜等を除去する制御が可能なエンジン制御方法を提供することにある。
【手続補正５】
【補正対象書類名】明細書
【補正対象項目名】００１０
【補正方法】変更
【補正の内容】
【００１０】
本発明の第１の観点によれば、以下の構成のエンジン制御方法が提供される。即ち、このエンジン制御方法は、燃料ポンプのラックを動作させてプランジャを回転させる制御を行う。このエンジン制御方法は、制御部を備える。前記制御部は、前記ラックを動作させて当該ラックの動作の異常の有無を判定し、前記ラックの動作に異常があると判定した場合に、スタータモータに通電することで、エンジンを始動させずにクランク軸とともに前記プランジャを往復動させる。
【手続補正６】
【補正対象書類名】明細書
【補正対象項目名】００１１
【補正方法】変更
【補正の内容】
【００１１】
これにより、エンジンを始動させることなく、クランク軸とともにプランジャを往復動させることができる。また、プランジャの外周に生じた燃料膜等を除去するためだけの構成が不要であるため、ラックの動作の異常を単純な構成で解消できる。
【手続補正７】
【補正対象書類名】明細書
【補正対象項目名】００１２
【補正方法】変更
【補正の内容】
【００１２】
前記のエンジン制御方法においては、以下の構成とすることが好ましい。即ち、このエンジン制御方法は、前記制御部が、前記スタータモータに電圧を印加するバッテリーの電圧値を取得し、前記電圧値が低いほど、前記スタータモータに通電する際の通電時間を長くする。
【手続補正８】
【補正対象書類名】明細書
【補正対象項目名】００１３
【補正方法】変更
【補正の内容】
【００１３】
バッテリーの電圧が低い場合は、エンジンが始動しにくい。これにより、一層確実にプランジャを往復動させることができる。
【手続補正９】
【補正対象書類名】明細書
【補正対象項目名】００１４
【補正方法】変更
【補正の内容】
【００１４】
前記のエンジン制御方法においては、以下の構成とすることが好ましい。即ち、このエンジン制御方法は、前記制御部が、前記エンジンの累計運転時間を取得し、前記累計運転時間が長いほど、前記スタータモータに通電する際の通電時間を長くする。
【手続補正１０】
【補正対象書類名】明細書
【補正対象項目名】００１５
【補正方法】変更
【補正の内容】
【００１５】
エンジンの累計運転時間が長い場合は、燃料ポンプ等の部品の劣化により、エンジンが始動しにくい。これにより、一層確実にプランジャを往復動させることができる。
【手続補正１１】
【補正対象書類名】明細書
【補正対象項目名】００１６
【補正方法】変更
【補正の内容】
【００１６】
本発明の第２の観点によれば、以下の構成のエンジンが提供される。即ち、このエンジンは、燃料ポンプと、スタータモータと、制御部と、を備える。前記燃料ポンプは、ラック及びプランジャを備え、当該ラックが動作することでプランジャが回転する構成である。前記スタータモータは、電圧が印加されることでクランク軸を回転させるとともにプランジャを往復動させる。前記制御部は、前記ラックの動作に異常があると判定した場合に、前記スタータモータに通電することで、エンジンを始動させずに前記クランク軸とともに前記プランジャを往復動させる。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
インジェクタ（２０，２０Ｂ，２０Ｃ，２０Ｄ，２０Ｅ）であって、
燃料を噴射する噴孔（３２）を有し、前記噴孔に連通する第１流路（１０１）が形成された筒状のハウジング（３０）と、
前記ハウジング内に固定され、前記第１流路に連通する第２流路（１０２）が形成された筒状の固定コア（４１）と、
前記固定コアよりも前記噴孔側における前記第１流路内を前記ハウジングの軸方向（ＡＸ）に沿って往復移動可能に設けられ、前記固定コアの内径よりも大きな外径を有し、前記固定コアの内径よりも小さな貫通孔（４３）を有する可動コア（４２）と、
通電によって、前記可動コアを前記固定コア側に向かって移動させる磁界を発生するコイル（４４）と、
前記貫通孔を前記軸方向に往復移動可能に通る軸部（５１）と、前記軸部の前記噴孔側の端部に形成され、前記噴孔を開閉可能な弁部（５２）と、を有するニードル（５０）と、
前記ニードルを前記噴孔側に向かって付勢するスプリング（６１）と、
を備え、
前記軸部は、前記可動コアを挟んで前記弁部側に第１突出部（５３）と前記固定コア側に第２突出部（５４）とを有し、
前記第１突出部は、径方向に、前記可動コアにおける前記貫通孔の縁よりも外側に突き出し、
前記第２突出部は、前記径方向に、前記可動コアにおける前記貫通孔の縁よりも外側で、かつ、前記固定コアの内周縁よりも内側に突き出し、
前記第１突出部の前記固定コア側の面である第１面（５３１）と、前記第２突出部の前記弁部側の面である第２面（５４１）との前記軸方向に沿った間隔よりも、前記可動コアの前記弁部側の面である第３面（４２１）と、前記可動コアの前記固定コア側の面である第４面（４２２）との前記軸方向に沿った間隔の方が小さく、
前記第１面と前記第３面との少なくともいずれか一方に、弾性部材（５５）が設けられており、
前記弾性部材は、内周側から外周側に向かう切り欠き部（５６）を有する、
インジェクタ。
【請求項２】
請求項１に記載のインジェクタであって、
前記弾性部材はゴムである、インジェクタ。
【請求項３】
請求項１または請求項２に記載のインジェクタであって、
前記第１面と前記第３面とのいずれか一方に、前記弾性部材が設けられ、
前記第１面と前記第３面とのうち前記弾性部材が設けられていない面に、内周側から外周側に向かう溝（５７）を有する、インジェクタ。
【請求項４】
請求項１から請求項３のいずれか一項に記載のインジェクタであって、
前記第２面と前記第４面との少なくともいずれか一方に、弾性部材（５５）が設けられた、インジェクタ。
【請求項５】
請求項１から請求項４のいずれか一項に記載のインジェクタであって、
前記燃料としてガスを噴射する、インジェクタ。
【手続補正２】
【補正対象書類名】明細書
【補正対象項目名】０００６
【補正方法】変更
【補正の内容】
【０００６】
本開示の一形態によれば、インジェクタ（２０，２０Ｂ，２０Ｃ，２０Ｄ，２０Ｅ）が提供される。このインジェクタは、燃料を噴射する噴孔（３２）を有し、前記噴孔に連通する第１流路（１０１）が形成された筒状のハウジング（３０）と；前記ハウジング内に固定され、前記第１流路に連通する第２流路（１０２）が形成された筒状の固定コア（４１）と；前記固定コアよりも前記噴孔側における前記第１流路内を前記ハウジングの軸方向（ＡＸ）に沿って往復移動可能に設けられ、前記固定コアの内径よりも大きな外径を有し、前記固定コアの内径よりも小さな貫通孔（４３）を有する可動コア（４２）と；通電によって、前記可動コアを前記固定コア側に向かって移動させる磁界を発生するコイル（４４）と；前記貫通孔を前記軸方向に往復移動可能に通る軸部（５１）と、前記軸部の前記噴孔側の端部に形成され、前記噴孔を開閉可能な弁部（５２）と、を有するニードル（５０）と；前記ニードルを前記噴孔側に向かって付勢するスプリング（６１）と；を備える。前記軸部は、前記可動コアを挟んで前記弁部側に第１突出部（５３）と前記固定コア側に第２突出部（５４）とを有し；前記第１突出部は、径方向に、前記可動コアにおける前記貫通孔の縁よりも外側に突き出し；前記第２突出部は、前記径方向に、前記可動コアにおける前記貫通孔の縁よりも外側で、かつ、前記固定コアの内周縁よりも内側に突き出し；前記第１突出部の前記固定コア側の面である第１面（５３１）と、前記第２突出部の前記弁部側の面である第２面（５４１）との前記軸方向に沿った間隔よりも、前記可動コアの前記弁部側の面である第３面（４２１）と、前記可動コアの前記固定コア側の面である第４面（４２２）との前記軸方向に沿った間隔の方が小さく；前記第１面と前記第３面との少なくともいずれか一方に、弾性部材（５５）が設けられており；前記弾性部材は、内周側から外周側に向かう切り欠き部（５６）を有する。
【手続補正書】
【提出日】令和2年7月14日(2020.7.14)
【手続補正１】
【補正対象書類名】明細書
【補正対象項目名】００６３
【補正方法】変更
【補正の内容】
【００６３】
図５に示す例は、サーバ装置９からシステムバージョン３且つ装置バージョン３のＥＣＵ２ａの更新用プログラムが与えられ、ダイアグツール８からシステムバージョン３且つ装置バージョン２のＥＣＵ２ｂの更新用プログラムが与えられた場合のバージョン対応情報１２ｂである。両更新用プログラムを用いてＥＣＵ２ａ、２ｂの更新処理を行った場合、更新処理後のシステムバージョンは共に３である。このように、サーバ装置９及びダイアグツール８から与えられた複数の更新用プログラムについて、複数の更新用プログラムのシステムバージョンが一致する場合、ゲートウェイ１０は、これらの更新用プログラムを用いた更新処理を並行して実施可能であると判定する。
【手続補正２】
【補正対象書類名】明細書
【補正対象項目名】００６５
【補正方法】変更
【補正の内容】
【００６５】
図６に示す例は、サーバ装置９からシステムバージョン３且つ装置バージョン３のＥＣＵ２ａの更新用プログラムが与えられ、ダイアグツール８からシステムバージョン４且つ装置バージョン３のＥＣＵ２ｂの更新用プログラムが与えられた場合のバージョン対応情報１２ｂである。この例では、ＥＣＵ２ａの更新用プログラムのシステムバージョンが３であるのに対し、ＥＣＵ２ｂの更新用プログラムのシステムバージョンが４であり、両システムバージョンが一致しない。このように複数の更新用プログラムのシステムバージョンが一致しない場合、ゲートウェイ１０は、これらの更新用プログラムを用いた更新処理を並行して実施することは不可能であると判定する。
【手続補正３】
【補正対象書類名】明細書
【補正対象項目名】００６９
【補正方法】変更
【補正の内容】
【００６９】
図７に示す例は、サーバ装置９からシステムバージョン３且つ装置バージョン３のＥＣＵ２ａの更新用プログラムが与えられ、ダイアグツール８からシステムバージョン４且つ装置バージョン３のＥＣＵ２ｂの更新用プログラムが与えられた場合のバージョン対応情報１２ｂである。ただしこの例では、システムバージョン４に対応するＥＣＵ２ａの装置バージョンは３であり、システムバージョン３と４とでＥＣＵ２ａの装置バージョンが同じである。このような場合にゲートウェイ１０は、これらの更新用プログラムを用いた更新処理を並行して実施することが可能であると判定する。即ちゲートウェイ１０は、ＥＣＵ２ａの更新用プログラムのシステムバージョンとＥＣＵ２ｂの更新用プログラムのシステムバージョンとが一致しない場合であっても、両システムバージョンに含まれる装置バージョンが一致している場合には、更新処理を並行して実施することが可能であると判定してよい。換言すれば、ゲートウェイ１０は、ＥＣＵ２ａの更新用プログラムのシステムバージョンをＥＣＵ２ｂの更新用プログラムのシステムバージョンと比較する場合に、ＥＣＵ２ａの更新用プログラムのシステムバージョンを３又は４として比較を行い、いずれか一方がＥＣＵ２ｂの更新用プログラムのシステムバージョンと一致すれば更新処理を並行して実施することが可能であると判定すればよい。
【手続補正書】
【提出日】令和2年4月16日(2020.4.16)
【手続補正１】
【補正対象書類名】明細書
【補正対象項目名】０００９
【補正方法】変更
【補正の内容】
【０００９】
他方、特許文献１に開示された従来技術のように、静電力によって半導体ウェーハ等の保持対象物を保持する静電保持装置を用いる方法では、前述のとおり、静電力を除去して保持対象物を容易に剥離できる。そのため、剥離時に保持対象物である半導体ウェーハが割れてしまうというリスクを低減することができる。
【手続補正２】
【補正対象書類名】明細書
【補正対象項目名】００１７
【補正方法】変更
【補正の内容】
【００１７】
本発明の静電吸着チャックによれば、基板と、基板の一主面に接合された合成樹脂シートと、合成樹脂シートの内部に配設された少なくとも一対の電極と、を有する。これにより、一対の電極に電圧を印加することにより半導体ウェーハを吸着して保持することができると共に、電極に印加された電圧を除去することにより半導体ウェーハを容易に剥離することができる。よって、剥離時の半導体ウェーハの破損を抑制することができる。
【手続補正３】
【補正対象書類名】明細書
【補正対象項目名】００２０
【補正方法】変更
【補正の内容】
【００２０】
例えば、本発明の静電吸着チャックをフォトリソグラフィーに適用することにより、半導体ウェーハの一括全面露光では、１μｍのラインアンドスペースやホールを形成することができる。また、ステッパーでのチップ露光では、０．１μｍのラインアンドスペースやホールを形成することができる。このように、本発明によれば、高精度な微細加工が実現される。
【手続補正４】
【補正対象書類名】明細書
【補正対象項目名】００３３
【補正方法】変更
【補正の内容】
【００３３】
給電装置１０によって電極４ａと電極４ｂの間に電圧が印加されることにより、合成樹脂シート３は、半導体ウェーハ２０を吸着して保持するための静電力を発揮する。他方、電極４に印加された電圧を除去することにより合成樹脂シート３から半導体ウェーハ２０を容易に剥離することができる。よって、剥離時の半導体ウェーハ２０の破損を抑制することができる。
【手続補正５】
【補正対象書類名】明細書
【補正対象項目名】００３９
【補正方法】変更
【補正の内容】
【００３９】
例えば、静電吸着チャック１をフォトリソグラフィーに適用することにより、半導体ウェーハ２０の一括全面露光では、１μｍのラインアンドスペースやホールを形成することができる。また、ステッパーでのチップ露光では、０．１μｍのラインアンドスペースやホールを形成することができる。このように、静電吸着チャック１によれば、高精度な微細加工が実現される。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
被検眼に照射された測定光と参照光によるＯＣＴ信号を検出するＯＣＴ光学系を有し、前記ＯＣＴ信号を処理することで被検眼のＯＣＴ画像データを取得する眼科撮影装置であって、
被検眼の前眼部断面画像データを取得する取得手段と、
前記取得手段によって取得された前記前眼部断面画像データに基づいて、前記測定光の走査位置を設定する走査位置設定手段と、
前記ＯＣＴ光学系を制御し、前記走査位置設定手段によって設定された前記走査位置において、前記被検眼の眼底ＯＣＴ画像データを取得する制御手段と、
を備えることを特徴とする眼科撮影装置。
【請求項２】
請求項１の眼科撮影装置において、
前記走査位置設定手段は、前記前眼部断面画像データを処理することによって、混濁部の二次元分布を示す解析情報を取得し、前記解析情報に基づいて、前記ＯＣＴ光学系における前記測定光の走査位置を設定することを特徴とする眼科撮影装置。
【請求項３】
請求項１または２のいずれかの眼科撮影装置において、
前記走査位置設定手段は、前記ＯＣＴ光学系における前記測定光の前記被検眼への入射位置を設定することで、前記測定光の走査位置を設定することを特徴とする眼科撮影装置。
【請求項４】
請求項１〜３のいずれかの眼科撮影装置において、
前記ＯＣＴ光学系は、前記被検眼の第１深度帯に対応する第１位置と、前記被検眼の前記第１深度帯とは異なる前記第２深度帯に対応する第２位置と、におけるＯＣＴ画像データを取得できるＯＣＴ光学系であって、
前記取得手段は、前記前眼部断面画像データとして、前記ＯＣＴ光学系を制御して、前記第１位置において前記被検眼の前記前眼部ＯＣＴ画像データを取得し、
前記制御手段は、前記ＯＣＴ光学系を制御して、前記第２位置において前記被検眼の前記眼底ＯＣＴ画像データを取得することを特徴とする眼科撮影装置。
【請求項５】
被検眼に照射された測定光と参照光によるＯＣＴ信号を検出するＯＣＴ光学系を有し、前記ＯＣＴ信号を処理することで被検眼のＯＣＴ画像データを取得する眼科撮影装置において用いられる眼科撮影プログラムであって、前記眼科撮影装置のプロセッサによって実行されることで、
被検眼の前眼部断面画像データを取得する取得ステップと、
前記取得ステップによって取得された前記前眼部断面画像データに基づいて、前記測定光の走査位置を設定する走査位置設定ステップと、
前記ＯＣＴ光学系を制御し、前記走査位置設定ステップによって設定された前記走査位置において、前記被検眼の眼底ＯＣＴ画像データを取得する制御ステップと、
を前記眼科撮影装置に実行させることを特徴とする眼科撮影プログラム。
【誤訳訂正書】
【提出日】令和1年12月19日(2019.12.19)
【誤訳訂正１】
【訂正対象書類名】特許請求の範囲
【訂正対象項目名】全文
【訂正方法】変更
【訂正の内容】
【特許請求の範囲】
【請求項１】
マルチストランド複合材料導電体アセンブリ（１０）であって、
少なくとも５０ミリメートルの長さを有するカーボンナノチューブから実質的になる細長いより線（１２）と、
前記カーボンナノチューブより線（１２）と実質的に同じ長さを有し、ニッケル、銅、銀および金からなる群から選択される材料によってメッキまたは被覆されている細長いアルミニウムより線（１４）と
を備えるマルチストランド複合材料導電体アセンブリ。
【請求項２】
請求項１に記載のマルチストランド複合材料導電体アセンブリ（１０）であって、
さらに、前記カーボンナノチューブより線（１２）と実質的に同じ長さを有し、ニッケル、銅、銀および金からなる群から選択される材料によってメッキまたは被覆されている複数のアルミニウムより線（１４）を備える
マルチストランド複合材料導電体アセンブリ。
【請求項３】
請求項２に記載のマルチストランド複合材料導電体アセンブリ（１０）であって、
前記カーボンナノチューブより線（１２）は、中央より線（１２）であり、
前記複数のアルミニウムより線（１４）は、前記カーボンナノチューブより線（１２）を取り囲む
マルチストランド複合材料導電体アセンブリ。
【請求項４】
請求項３に記載のマルチストランド複合材料導電体アセンブリ（１０）であって、
前記マルチストランド複合材料導電体アセンブリ（１０）は、１つのカーボンナノチューブより線（１２）と、６つのアルミニウムより線（１４）と、からなる
マルチストランド複合材料導電体アセンブリ。
【請求項５】
請求項１に記載のマルチストランド複合材料導電体アセンブリ（１０）であって、
さらに、前記マルチストランド複合材料導電体アセンブリ（１０）の端部に圧着された電気端子（２０）を備える
マルチストランド複合材料導電体アセンブリ。
【請求項６】
請求項１に記載のマルチストランド複合材料導電体アセンブリ（１０）であって、
さらに、前記マルチストランド複合材料導電体アセンブリ（１０）の端部にはんだ付けされた電気端子（２０）を備える
マルチストランド複合材料導電体アセンブリ。
【請求項７】
請求項１に記載のマルチストランド複合材料導電体アセンブリ（１０）であって、
さらに、誘電性ポリマー材料から形成され、前記アルミニウムより線（１４）および前記カーボンナノチューブより線（１２）を包む絶縁性スリーブを備える
マルチストランド複合材料導電体アセンブリ。
【手続補正書】
【提出日】令和2年1月10日(2020.1.10)
【手続補正１】
【補正対象書類名】明細書
【補正対象項目名】００３３
【補正方法】変更
【補正の内容】
【００３３】
本明細書において、「フェノール性化合物の増量」又は「フェノール性化合物の含有量の増加」とは、本発明による紫外光照射を行っていない植物と比較して、フェノール性化合物の量が増加していること、例えば10％以上、好ましくは20％以上、より好ましくは50％以上、より好ましくは100％以上増加していることをいう。なお、「フェノール性化合物の増量」又は「フェノール性化合物の含有量の増加」には、照射前には合成されていなかったフェノール性化合物が照射後に新たに合成されるようになることも含まれる。
フェノール性化合物の定量は、公知の方法のいずれを用いて行ってもよく、例えばクロマトグラフィーにより行うことができる。クロマトグラフィーとしては液体クロマトグラフィー(例えばHPLC)が挙げられる。液体クロマトグラフィーは逆相クロマトグラフィーであり得る。
【手続補正２】
【補正対象書類名】明細書
【補正対象項目名】００３４
【補正方法】変更
【補正の内容】
【００３４】
本発明に従う紫外光照射により、非照射のものと比較して、フェノール性化合物の量が1.1倍以上、好ましくは1.2倍以上、より好ましくは1.5倍以上、より好ましくは２倍以上、例えば３倍以上高い植物を生産することができる。よって、本発明の方法によれば、生産された植物を高付加価値食物として安価に提供することができる。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技者の特定動作と、前記特定動作とは異なる遊技者の所定動作と、を検出可能な検出手段と、
前記特定動作の検出に基づいて特定演出を選択し、選択した特定演出を前記有利状態において実行可能な特定演出実行手段と、
特定演出の実行中において所定演出を実行可能な所定演出実行手段と、
前記所定動作の検出にもとづいて所定演出の実行の有無を変更可能な変更手段と、
異常報知を実行可能な異常報知手段と、を備え、
所定演出は複数あり、前記所定動作の検出にもとづいて複数の所定演出の実行の有無が変更され、
前記異常報知手段は、異常報知中に前記変更手段によって所定演出の実行の有無が変更されたときに、異常報知を継続して実行可能である、
ことを特徴とする遊技機。
【請求項２】
遊技者にとって有利な有利状態に制御可能な遊技機であって、
遊技者の特定動作と、前記特定動作とは異なる遊技者の所定動作と、を検出可能な検出手段と、
前記特定動作の検出に基づいて特定演出を選択し、選択した特定演出を前記有利状態において実行可能な特定演出実行手段と、
特定演出の実行中において所定演出を実行可能な所定演出実行手段と、
前記所定動作の検出にもとづいて所定演出の実行態様を変更可能な変更手段と、
異常報知を実行可能な異常報知手段と、を備え、
所定演出は複数あり、前記所定動作の検出にもとづいて複数の所定演出の実行態様が変更され、
前記異常報知手段は、異常報知中に前記変更手段によって所定演出の実行態様が変更されたときに、異常報知を継続して実行可能である、
ことを特徴とする遊技機。
【手続補正２】
【補正対象書類名】明細書
【補正対象項目名】０００７
【補正方法】変更
【補正の内容】
【０００７】
（Ａ）上記目的を達成するため、本願発明の観点Ａに係る遊技機は、
遊技者の特定動作と、前記特定動作とは異なる遊技者の所定動作と、を検出可能な検出手段と、
前記特定動作の検出に基づいて特定演出を選択し、選択した特定演出を前記有利状態において実行可能な特定演出実行手段と、
特定演出の実行中において所定演出を実行可能な所定演出実行手段と、
前記所定動作の検出にもとづいて所定演出の実行の有無を変更可能な変更手段と、
異常報知を実行可能な異常報知手段と、を備え、
所定演出は複数あり、前記所定動作の検出にもとづいて複数の所定演出の実行の有無が変更され、
前記異常報知手段は、異常報知中に前記変更手段によって所定演出の実行の有無が変更されたときに、異常報知を継続して実行可能である、
ことを特徴とする。
（Ｂ）上記目的を達成するため、本願発明の観点Ｂに係る遊技機は、
遊技者にとって有利な有利状態に制御可能な遊技機であって、
遊技者の特定動作と、前記特定動作とは異なる遊技者の所定動作と、を検出可能な検出手段と、
前記特定動作の検出に基づいて特定演出を選択し、選択した特定演出を前記有利状態において実行可能な特定演出実行手段と、
特定演出の実行中において所定演出を実行可能な所定演出実行手段と、
前記所定動作の検出にもとづいて所定演出の実行態様を変更可能な変更手段と、
異常報知を実行可能な異常報知手段と、を備え、
所定演出は複数あり、前記所定動作の検出にもとづいて複数の所定演出の実行態様が変更され、
前記異常報知手段は、異常報知中に前記変更手段によって所定演出の実行態様が変更されたときに、異常報知を継続して実行可能である、
ことを特徴とする。
（１）上記目的を達成するため、本願発明の第１の観点に係る遊技機は、
遊技者にとって有利な有利状態（例えば、大当り遊技状態など）に制御可能な遊技機（例えば、パチンコ遊技機１など）であって、
選択された特定演出（例えば、楽曲や当該楽曲の動画など）を前記有利状態において実行可能な特定演出実行手段（例えば、図１６に示すステップＳ６３４の処理を実行する演出制御用ＣＰＵ１２０など）と、
特定演出の実行中において所定演出（例えば、大入賞口入賞演出や大入賞口開放時演出など）を実行可能な所定演出実行手段（例えば、図２０に示す大入賞口入賞演出処理や、図２１に示す大入賞口開放時演出処理を実行する演出制御用ＣＰＵ１２０など）と、
所定演出の実行の有無を変更可能な変更手段（例えば、図１４に示すステップＳ４１４、Ｓ４１５、Ｓ４２３〜Ｓ４２６の処理を実行する演出制御用ＣＰＵ１２０など）と、
異常報知（例えば、玉抜きエラー報知など）を実行可能な異常報知手段（例えば、図１０に示すエラー報知処理を実行する演出制御用ＣＰＵ１２０など）と、を備え、
前記異常報知手段は、異常報知中に前記変更手段によって所定演出の実行の有無が変更されたときに（例えば、停止フラグがオン状態となったときなど）、異常報知を継続して実行可能である（例えば、図２２（Ｂ）、図２４参照）、
ことを特徴とする。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
受信したコマンドにもとづいて制御を行う制御手段と、
コマンドを構成する複数のコマンドデータを受信して、第１格納領域に格納するコマンド受信手段と、を備え、
受信したコマンドが最初に格納される第１格納領域と、
受信したコマンドが一時格納される第２格納領域と、
受信したコマンドが最終的に格納される第３格納領域と、を備え、
前記制御手段は、
前記コマンド受信手段がコマンドデータを受信するごとに発生する受信割込が所定回数発生したことにもとづいて、前記第１格納領域に格納されているコマンドデータを読み出して前記第２格納領域に格納する第１格納制御手段と、
所定期間ごとに発生するタイマ割込にもとづいて、前記第２格納領域に格納されているコマンドデータを読み出して前記第３格納領域に格納する第２格納制御手段と、
前記第３格納領域に格納されているコマンドデータを解析する解析手段と、を含み、
前記第１格納制御手段は、コマンドデータを前記第２格納領域に格納する場合、前記第２格納領域に格納されているコマンドデータの容量が制限値に達しているか否かを判定し、該判定結果に応じた処理を実行し、
前記第２格納制御手段は、前記第２格納領域から読み出したコマンドデータの種類を判定し、該判定結果にもとづいて、該コマンドデータを前記第３格納領域におけるコマンドデータの種類に応じた領域に格納する、
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、
遊技を行うことが可能な遊技機であって、
受信したコマンドにもとづいて制御を行う制御手段と、
コマンドを構成する複数のコマンドデータを受信して、第１格納領域に格納するコマンド受信手段と、を備え、
受信したコマンドが最初に格納される第１格納領域と、
受信したコマンドが一時格納される第２格納領域と、
受信したコマンドが最終的に格納される第３格納領域と、を備え、
前記制御手段は、
前記コマンド受信手段がコマンドデータを受信するごとに発生する受信割込が所定回数発生したことにもとづいて、前記第１格納領域に格納されているコマンドデータを読み出して前記第２格納領域に格納する第１格納制御手段と、
所定期間ごとに発生するタイマ割込にもとづいて、前記第２格納領域に格納されているコマンドデータを読み出して前記第３格納領域に格納する第２格納制御手段と、
前記第３格納領域に格納されているコマンドデータを解析する解析手段と、を含み、
前記第１格納制御手段は、コマンドデータを前記第２格納領域に格納する場合、前記第２格納領域に格納されているコマンドデータの容量が制限値に達しているか否かを判定し、該判定結果に応じた処理を実行し、
前記第２格納制御手段は、前記第２格納領域から読み出したコマンドデータの種類を判定し、該判定結果にもとづいて、該コマンドデータを前記第３格納領域におけるコマンドデータの種類に応じた領域に格納する、
ことを特徴とする。
（手段１）他の遊技機は、遊技を行うことが可能な遊技機であって、受信したコマンド（例えば、演出制御コマンド）にもとづいて制御を行う制御手段（例えば、演出制御用マイクロコンピュータ１００）と、受信したコマンドが最初に格納される第１格納領域（例えば、シリアル通信回路１１５が備える受信レジスタ）と、受信したコマンドが一時格納される第２格納領域（例えば、内蔵ＲＡＭ１１２に設けられる受け渡し用バッファ）と、受信したコマンドが最終的に格納される第３格納領域（例えば、外付けのＳＤＲＡＭ１１６に設けられる解析用バッファ）とを備え、制御手段は、コマンドを受信するごとに発生する受信割込（例えば、シリアル受信割込）にもとづいて、第１格納領域に格納されているコマンドを読み出して第２格納領域に格納する第１格納制御手段（例えば、演出制御用マイクロコンピュータ１００におけるステップＳ７２１〜Ｓ７２３を実行する部分）と、所定期間（例えば、１ｍｓ）ごとに発生するタイマ割込にもとづいて、第２格納領域に格納されているコマンドを読み出して第３格納領域に格納する第２格納制御手段（例えば、演出制御用マイクロコンピュータ１００におけるステップＳ７４１〜Ｓ７４８を実行する部分）と、第３格納領域に格納されているコマンドを解析する解析手段（例えば、演出制御用マイクロコンピュータ１００におけるステップＳ７０４を実行する部分）とを含み、第３格納領域は、コマンドの上位データを格納する第１領域（例えば、解析用バッファ（上位））と、コマンドの下位データを格納する第２領域（例えば、解析用バッファ（下位））とを含み、第１格納制御手段は、第１格納領域から読み出したコマンドをそのまま第２格納領域に格納し（例えば、演出制御用マイクロコンピュータ１００は、ステップＳ７４５を実行する）、第２格納制御手段は、第２格納領域から読み出したコマンドの上位データを第１領域に格納し、第２格納領域から読み出したコマンドの下位データを第２領域に格納する（例えば、演出制御用マイクロコンピュータ１００は、ステップＳ７４６を実行する）ことを特徴とする。そのような構成によれば、大量のコマンドを受信した場合にコマンドの取りこぼしを軽減することができる。また、受信割込発生時の処理負担を軽減することができ、コマンドの取りこぼしの防止に繋げることができる。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
血管内に留置される血管内留置具を搬送するための搬送用カテーテルであって、
可撓性を有し、先端側の部分を裂開させるための裂開部が設けられたカテーテル本体部を備え、
前記裂開部により前記先端側の部分が裂開されることで、前記先端側の部分を構成する複数の先端側構成部が互いに離間可能に構成され、
離間した前記複数の先端側構成部を離間していない状態に復元させるための復元手段を更に備える搬送用カテーテル。
【請求項２】
前記復元手段は、
前記複数の先端側構成部どうしに架け渡されるように配設され、当該複数の先端側構成部どうしを近付ける方向に付勢する弾性部材を含む請求項１に記載の搬送用カテーテル。
【請求項３】
前記弾性部材は、前記複数の先端側構成部を覆うように前記先端側の部分に配設されている請求項２に記載の搬送用カテーテル。
【請求項４】
前記カテーテル本体部は、その内側に前記血管内留置具を収容し、
前記裂開部は、前記血管内留置具を血管内に放出するために裂開するように構成されている請求項２または３に記載の搬送用カテーテル。
【請求項５】
血管内に留置される血管内留置具と、前記血管内留置具を搬送するための搬送用カテーテルと、を備える血管内留置具搬送装置であって、
前記搬送用カテーテルは、
可撓性を有し、先端側の部分を裂開させるための裂開部が設けられたカテーテル本体部を備え、
前記裂開部により前記先端側の部分が裂開されることで、前記先端側の部分を構成する複数の先端側構成部が互いに離間可能に構成され、
離間した前記複数の先端側構成部を離間していない状態に復元させるための復元手段を更に備える血管内留置具搬送装置。
【手続補正２】
【補正対象書類名】明細書
【補正対象項目名】０００６
【補正方法】変更
【補正の内容】
【０００６】
上記課題を解決するため、本発明の一の態様は、
血管内に留置される血管内留置具を搬送するための搬送用カテーテルであって、
可撓性を有し、先端側の部分を裂開させるための裂開部が設けられたカテーテル本体部を備え、
前記裂開部により前記先端側の部分が裂開されることで、前記先端側の部分を構成する複数の先端側構成部が互いに離間可能に構成され、
離間した前記複数の先端側構成部を離間していない状態に復元させるための復元手段を更に備えることを特徴としている。
【手続補正３】
【補正対象書類名】明細書
【補正対象項目名】０００７
【補正方法】変更
【補正の内容】
【０００７】
また、本発明の他の態様は、
血管内に留置される血管内留置具と、前記血管内留置具を搬送するための搬送用カテーテルと、を備える血管内留置具搬送装置であって、
前記搬送用カテーテルは、
可撓性を有し、先端側の部分を裂開させるための裂開部が設けられたカテーテル本体部を備え、
前記裂開部により前記先端側の部分が裂開されることで、前記先端側の部分を構成する複数の先端側構成部が互いに離間可能に構成され、
離間した前記複数の先端側構成部を離間していない状態に復元させるための復元手段を更に備えることを特徴としている。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
遊技を行う遊技機であって、
識別情報を表示可能な表示手段と、
背景映像を所定期間にわたって再生する再生手段と、
前記背景映像のうちの特定映像に関連した演出であって、特定演出が実行されることを報知する報知演出を実行する報知演出実行手段と、
前記報知演出が実行される場合、前記報知演出の実行タイミングに合わせて前記特定映像が再生されるように、再生中の前記背景映像の再生位置を、当該背景映像の再生位置がいずれの再生位置であっても、前記報知演出の実行タイミングに応じて当該背景映像の複数の再生位置のいずれかに切り替え可能な切替手段と、を備え、
前記切替手段は、前記背景映像の再生位置を前記複数の再生位置のいずれかに切り替える際に、識別情報と前記背景映像の視認性を低下させる、
遊技機。
【手続補正２】
【補正対象書類名】明細書
【補正対象項目名】０００６
【補正方法】変更
【補正の内容】
【０００６】
（Ａ）上記目的を達成するため、本発明に係る遊技機は、
遊技を行う遊技機であって、
識別情報を表示可能な表示手段と、
背景映像を所定期間にわたって再生する再生手段と、
前記背景映像のうちの特定映像に関連した演出であって、特定演出が実行されることを報知する報知演出を実行する報知演出実行手段と、
前記報知演出が実行される場合、前記報知演出の実行タイミングに合わせて前記特定映像が再生されるように、再生中の前記背景映像の再生位置を、当該背景映像の再生位置がいずれの再生位置であっても、前記報知演出の実行タイミングに応じて当該背景映像の複数の再生位置のいずれかに切り替え可能な切替手段と、を備え、
前記切替手段は、前記背景映像の再生位置を前記複数の再生位置のいずれかにに切り替える際に、識別情報と前記背景映像の視認性を低下させる。
（１）上記目的を達成するため、他の遊技機は、
遊技を行う遊技機であって、
一連の映像（例えば、図形が右から左へ移動する背景画像、図１３）を再生する再生手段（例えば、背景画像を再生する表示制御部１２３など）と、
前記一連の映像のうちの特定映像（例えば、特定シーンＡ、図１５（Ａ））に関連した演出であって、特定演出（例えば、スーパーリーチ）が実行されることを報知する報知演出（例えば、報知演出Ａ）を実行する報知演出実行手段（例えば、ステップＳ６７６、Ｓ３４２、Ｓ５５６など）と、
前記報知演出が実行される場合に、再生中の前記一連の映像を、前記報知演出の実行タイミング（例えば、ターゲットの可変表示の開始から４秒後のタイミング）に合わせて前記特定映像が再生される所定映像（前記４秒後のタイミングに再生位置Ａ５が到来するよう、背景画像の再生位置（図１７等参照）を、第２特図ゲームの保留数に応じて再生位置Ａ１〜Ａ４のいずれかに切り替えて再生される背景画像）に切り替える切替手段（例えば、ステップＳ６７８、図１７、ステップＳ３４５、ステップＳ５５３）と、を備え、
前記切替手段は、前記一連の映像を前記所定映像に切り替える際に、前記一連の映像の視認性を低下させる（例えば、砂嵐の画像により背景画像を隠す。図２３（Ｆ）参照）。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
抽選に基づくコマンドを出力する第１制御手段と、
前記第１制御手段が出力したコマンドに応じた処理を実行する第２制御手段と、を備え、
前記第２制御手段は、前記第１制御手段が出力したコマンドを受信し、受信したコマンドに応じたコマンドを出力する第１処理部と、前記第１処理部から出力されたコマンドに応じた処理を実行する第２処理部と、を備え、
前記第１制御手段が出力するコマンドに、第１コマンドと、当該第１コマンドと異なる第２コマンドと、があり、
第１コマンドと前記第２コマンドは、同じテーブルを参照した抽選により出力されるコマンドであり、
前記第１処理部は、
受信したコマンドが第１コマンドであるときは、当該第１コマンドを別のコマンドに変換せずにそのまま出力し、
受信したコマンドが第２コマンドであるときは、当該第２コマンドを前記第１コマンドに変換して出力する、
遊技機。
【手続補正２】
【補正対象書類名】明細書
【補正対象項目名】０００６
【補正方法】変更
【補正の内容】
【０００６】
（Ａ）上記目的を達成するため、本発明に係る遊技機は、
抽選に基づくコマンドを出力する第１制御手段と、
前記第１制御手段が出力したコマンドに応じた処理を実行する第２制御手段と、を備え、
前記第２制御手段は、前記第１制御手段が出力したコマンドを受信し、受信したコマンドに応じたコマンドを出力する第１処理部と、前記第１処理部から出力されたコマンドに応じた処理を実行する第２処理部と、を備え、
前記第１制御手段が出力するコマンドに、第１コマンドと、当該第１コマンドと異なる第２コマンドと、があり、
第１コマンドと前記第２コマンドは、同じテーブルを参照した抽選により出力されるコマンドであり、
前記第１処理部は、
受信したコマンドが第１コマンドであるときは、当該第１コマンドを別のコマンドに変換せずにそのまま出力し、
受信したコマンドが第２コマンドであるときは、当該第２コマンドを前記第１コマンドに変換して出力する。
（１）上記目的を達成するため、他の遊技機は、
抽選に基づくコマンド（例えば、変動パターン指定コマンド）を出力する第１制御手段（例えば、主基板１１）と、
前記第１制御手段が出力したコマンドに応じた処理（例えば、演出実行のための処理であるステップＳ１７１）を実行する第２制御手段（例えば、演出制御基板１２）と、を備え、
前記第２制御手段は、異なる複数のコマンド（例えば、変動パターン指定コマンド「８１００」〜「８１０２」）を同じコマンド（例えば、変動パターン指定コマンド「８１００」）として扱って前記処理を実行する（例えば、ステップＳ７５２で変動パターン指定コマンド「８１０１」〜「８１０２」を「８１００」に変換し（図１７も参照）、当該「８１００」として扱ってステップＳ１７１を実行する）、
ことを特徴とする。
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
データを一時記憶データとして一時記憶する記憶手段と、
前記記憶手段が一時記憶している一時記憶データが、２つのデータのうちの一方のデータである特定データであるか、他方のデータである他データであるかの判定を行う判定手段と、
音声手段と、
発光手段と、
抽選を行う抽選手段と、を備え、
前記判定手段は、前記記憶手段に一時記憶されている前記一時記憶データが前記他データと合致するかを判定し、前記一時記憶データが前記他データと合致するときに当該一時記憶データが前記他データであると判定し、前記一時記憶データが前記他データと合致しないときに当該一時記憶データが前記特定データであると判定し、
前記抽選手段は、前記判定手段により、前記一時記憶データが前記他データであると判定されたときと、前記一時記憶データが前記特定データであると判定されたときとで、異なる抽選割合の抽選を行い、
前記一時記憶データが前記特定データであると判定されたときの前記抽選手段による抽選は、前記一時記憶データが前記他データであると判定されたときの前記抽選手段による抽選よりも、遊技者にとって有利な抽選結果が抽選されやすく、
前記一時記憶データは、数値データであり、
前記数値データを用いた演算を行う演算手段と、前記演算手段の演算結果が「０」のときにオン状態となるゼロフラグと、をさらに備え、
前記判定手段は、前記ゼロフラグの状態に基づいて、前記一時記憶データが前記他データと合致するかを判定し、
前記特定データは、前記一時記憶データの初期値と同じ値の数値データであり、前記他データは、当該初期値以外の値の数値データであり、
前記音声手段と、前記発光手段は抽選結果に応じた態様で演出を実行する、
遊技機。
【手続補正２】
【補正対象書類名】明細書
【補正対象項目名】０００６
【補正方法】変更
【補正の内容】
【０００６】
（Ａ）上記目的を達成するため、本発明に係る遊技機は、
データを一時記憶データとして一時記憶する記憶手段と、
前記記憶手段が一時記憶している一時記憶データが、２つのデータのうちの一方のデータである特定データであるか、他方のデータである他データであるかの判定を行う判定手段と、
抽選を行う抽選手段と、を備え、
前記判定手段は、前記記憶手段に一時記憶されている前記一時記憶データが前記他データと合致するかを判定し、前記一時記憶データが前記他データと合致するときに当該一時記憶データが前記他データであると判定し、前記一時記憶データが前記他データと合致しないときに当該一時記憶データが前記特定データであると判定し、
前記抽選手段は、前記判定手段により、前記一時記憶データが前記他データであると判定されたときと、前記一時記憶データが前記特定データであると判定されたときとで、異なる抽選割合の抽選を行い、
前記一時記憶データが前記特定データであると判定されたときの前記抽選手段による抽選は、前記一時記憶データが前記他データであると判定されたときの前記抽選手段による抽選よりも、遊技者にとって有利な抽選結果が抽選されやすく、
前記一時記憶データは、数値データであり、
前記数値データを用いた演算を行う演算手段と、前記演算手段の演算結果が「０」のときにオン状態となるゼロフラグと、をさらに備え、
前記判定手段は、前記ゼロフラグの状態に基づいて、前記一時記憶データが前記他データと合致するかを判定し、
前記特定データは、前記一時記憶データの初期値と同じ値の数値データであり、前記他データは、当該初期値以外の値の数値データであり、
前記音声手段と、前記発光手段は抽選結果に応じた態様で演出を実行する。
（１）上記目的を達成するため、他の遊技機は、
データ（例えば、変動特図指定バッファ値）を記憶する記憶手段（例えば、ＲＡＭ１０２）と、
前記記憶手段が記憶しているデータの判定（例えば、ステップＳ２４２Ａ）を行う判定手段（例えば、ＣＰＵ１０３）と、を備え、
前記判定手段は、判定対象のデータが特定データ（例えば、第２特図ゲームが実行されることを示す「２」）以外の他データ（例えば、第１特図ゲームが実行されることを示す「１」）と合致するかを判定し（例えば、ステップＳ２４２Ａにおいてゼロフラグを用いて変動特図指定バッファ値が「１」であるかを判定する）、当該判定対象のデータが全ての前記他データと合致しないとき（例えば、変動特図指定バッファ値が「１」でないとき）に、当該判定対象のデータを前記特定データである（例えば、変動特図指定バッファ値が「２」である）と判定する。